(57)【要約】【課題】多目的利用を前提とした充填物を有する人工芝生を敷設のアリーナスペースにおける該充填物流出阻止用の堰の種々の不都合を解する。【解決手段】  人工芝生１の周辺部の床面に、角管部材８と、該角管部材８の表面を被覆する硬質弾性材製の被覆部材９とから成る、前記人工芝生１に充填した充填物５の平均高さよりも低い高さを有する端部処理部材７を固設して、堰としての好適性をもたせた。これにより多目的利用を前提とした広範囲なアリーナスペースで、整備用又は搬送用の車輌が乗り入れる条件のもとでの充填物を有する人工芝生の撤去若しくは修復に適用できる。【選択図】      図１
2007309093.tif 000002
【特許請求の範囲】
【請求項１】
基布にパイル糸を植毛した植毛部を設け、前記パイル糸の間に砂、砂及びゴムチップと、ゴムチップ等の充填物を有する人工芝生において、前記人工芝生の周辺部の床面に、角管部材と、該角管部材の表面を被覆する硬質弾性材製の被覆部材とから成る、前記人工芝生に充填した充填物の平均高さよりも低い高さを有する端部処理部材を固設した充填物を有する人工芝生。
【請求項２】
互いに接合する二つの端部処理材の、一方の端部処理材の少なくとも一端部に、被覆部材よりも角管部材を突出させた突出角管部を設け、他方の端部処理材の少なくとも一端部に、前記一方の端部処理材の突出角管部を被覆する、角管部材よりも被覆部材を突出させた突出被覆部を設けた請求項１記載の充填物を有する人工芝生。
【請求項３】
端部処理材に、角管部材の底面と水平となる固設用の固設プレートを突設した請求項１または２記載の充填物を有する人工芝生。
【請求項４】
角管部材の内部に、端部処理材を床面に固設する固定ボルトを設けた請求項１または２記載の充填物を有する人工芝生。
【請求項５】
角管部材の内部の全体若しくは部分に、角管部材の機械的強度を向上する強度向上材を充填した請求項１，２，３または４記載の充填物を有する人工芝生。
【発明の詳細な説明】
【技術分野】
【０００１】
本発明は、基布に植毛したパイル糸の間に砂その他の充填物を有する人工芝生に関する。
【背景技術】
【０００２】
運動競技場のアリーナスペースには、競技場の維持管理の容易性、グランドコンデションの安定性、優れた透水性等の特徴を備えた、充填物を有する人工芝生が用いられている。図５に示すように、人工芝生１は、一般的に、裏打ち用の基布２に多数の合成樹脂製のパイル糸３（葉片）を植毛したものである。この植毛部４に、特に、野球やサッカー、テニス等の競技を行う運動競技場には、運動選手の足腰にかかる負担を大幅に軽減するため、衝撃吸収性、しなやかさ、良好なバウンド力等の運動性能を備えた、砂、ゴムチップ等の充填物５をパイル糸３の間に充填した、充填物５を有する人工芝生１が用いられることが多い。
【０００３】
通常、人工芝生を敷設する場合は、幅３．６ｍから４ｍ程度のロール状の基布を展長し、各人工芝生の端部の基布を縫製加工して運動競技場に合わせた大きな人工芝生とし、該人工芝生の周辺部を床面に接着した後、充填物である砂（珪砂）を撒き、砂の散布によって倒れたパイル糸をブラシで起毛させて、砂をパイル糸の間に落とし込み、更に、砂の上からゴムチップ等を撒いて、ブラシでパイル糸を起毛させることを繰り返し、所定の高さまで充填物をパイル糸の間に充填して、充填物を有する人工芝生を運動競技場に敷設している。
【０００４】
特開平５−１５６６０２号公報には、テニスコート、サッカー場、ラグビー場、ゲートボール場等に用いられる長尺状に形成された複数枚の人工芝生を接続して敷設し、砂を充填した人工芝生において、敷設した人工芝生のうち使用頻度の高い部分と低い部分とを、芝ブロックで構成し、該芝ブロックの裏面にジョイントテープ材を敷いて、隣接する芝ブロックを接続し、人工芝生の硬化又は磨耗が目立ってきたら、隣接する芝ブロック間を接続しているジョイントテープ材をカッター等を用いて切り離し、使用頻度の高い芝ブロックと使用頻度の低い芝ブロックとの位置を交代する、砂入れ人工芝生の施工方法が開示されている。
【０００５】
また、充填した充填物が人工芝生の周辺端部から流出しやすいため、人工芝生の周辺部には、充填物の流出を堰き止める構造が必要となる。このため、従来においては、人工芝生を敷設する部分を凹状に形成し、この凹部内に充填物を有する人工芝生を敷設し、凹部の側壁で充填物の流出を堰き止めたり、図５に示すように、人工芝生１の周囲にコンクリートでブロック状の突設部６を設け、該突設部６で充填物の流出を堰き止める構造となっていた。
【０００６】
特開平８−３９１４号公報には、人工芝生の周辺部に、透水性を有するとともに、人工芝生に充填した充填物の高さと同等若しくはそれよりも高く形成されたウレタンバインダ製の直方体ブロック状の舗装材を、砂止めとして配置した発明が開示されている。
【特許文献１】特開平５−１５６６０２号公報
【特許文献２】特開平８−３９１４号公報
【発明の開示】
【発明が解決しようとする課題】
【０００７】
しかしながら、図６に示すように、運動競技のみならず、コンサートや各種展示会等の多目的利用を前提とする施設のアリーナスペースには、コンクリートの床面に、給排水用マンホールＡ、地下収納庫用ハッチＢ、電源引き込みハッチ、可動装置用レール収納ハッチＣ及び競技用グラウンドの周囲に設けた可動席用のレールハッチＤ等の設備を有するものが多く、催事に合せてこれらの設備を使用するため、人工芝生を撤去し、催事後、再び人工芝生を修復する必要があった。
【０００８】
このため、運動選手の足腰にかかる負担を考慮すると、運動競技場のアリーナスペースには、充填物を有する人工芝生を敷設することが適当であるが、施設の多目的利用を考慮して、撤去や修復が簡便に施工できる充填物のない人工芝生が用いられるという傾向にあった。すなわち、充填物を有する人工芝生の場合は、催事に合せて、アリーナスペースの人工芝生から充填物を抜き取って人工芝生を撤去し、その後、再び人工芝生を敷設して、充填物の再充填を行なわなければならず、膨大な時間と費用がかかる、と言う問題があった。
【０００９】
部分的に充填物を有する人工芝生を撤去する場合であっても、一部の人工芝生を撤去した際に、人工芝生の端部から充填物が流出して周囲に散乱し、この流出した充填物をほうきで掃いたり、掃除機で吸い取って、除去しなければならず、１平方メートル程度でも約１時間程度の作業時間を要し、撤去作業が困難である、と言う問題があった。
【００１０】
充填物を有する人工芝生の一部を撤去若しくは修復すると、人工芝生の端部から、傾斜角約４５°の角度で充填物が流出するため、修復の度に補充する充填物量も少なくなく、部分的な人工芝生の撤去であっても、修復費用がかかる、と言う問題もあった。
【００１１】
また、多量に流出してしまった充填物の再充填にあたっては、人工芝生の衝撃吸収性を損なったり、ボールのバウンドのイレギュラーが起きたりしないように、周囲の充填密度と同程度に充填物を再充填することが必要となり、再充填に技術を要し、時間がかかる、と言う問題もあった。
【００１２】
使用頻度の高い部分に芝ブロックを用いる上述の発明であっても、芝ブロックを交換する際に人工芝生の端部から充填物が流出する、という問題は解決されていない。また、修復の際にはカッターで切断したジョイントテープに代わり、再び新たなジョイントテープ材を敷いて芝ブロックを接続しなければならず、充填物を有する人工芝生の撤去若しくは修復の施工が困難である、と言う問題は解決されていなかった。
【００１３】
また、人工芝生の周辺端部から充填物を流出させないために、人工芝生の周辺部の地面等にコンクリートブロックを配置すると、硬いコンクリートブロックにぶつかって運動選手が怪我等をする場合があり、安全性の点で問題があった。
【００１４】
上述のウレタンバインダ製の直方体ブロックを、砂止めとして人工芝生の周辺部に配置した場合であっても、該直方体ブロックが、人工芝生に充填された充填物の高さと同等若しくはそれよりも高く形成されているため、運動選手が直方体ブロックに躓くおそれがあり、安全性の点では問題があった。広範囲なアリーナスペースに敷設した人工芝生には、整備用又は搬送用の車輌が乗り入れる必要があるが、ウレタンバインダ製の直方体ブロックでは、重量物、大型車輌の通行に対する耐荷重性がない、と言う問題もあった。
【００１５】
また、多目的利用を前提とした施設においては、催事に合せて、給排水用のマンホール、可動装置用レール等の設備を利用するために、人工芝生の撤去若しくは修復に伴って、人工芝生の周辺部に配置した突起部等の一部も部分的に撤去若しくは修復する必要があった。
【００１６】
そこで、本発明は、叙述の諸事情を鑑みて創案されたもので、充填物の流出を防止して充填物を有する人工芝生を撤去若しくは修復することを技術的課題とし、もって施設の多目的利用に合せて、充填物を有する人工芝生の安全性能、運動性能を損なうことなく、簡便かつ迅速に、撤去若しくは修復の可能な充填物を有する人工芝生を提供することを目的とする。
【課題を解決するための手段】
【００１７】
上記技術的課題を解決する本発明のうち、請求項１記載の発明の手段は、基布にパイル糸を植毛した植毛部を設け、前記パイル糸の間に砂、砂及びゴムチップ、ゴムチップ等の充填物を有する人工芝生であること、人工芝生の周辺部の床面に、角管部材と、該角管部材の表面を被覆する硬質弾性材製の被覆部材とから成る、人工芝生に充填した充填物の平均高さよりも低い高さを有する端部処理部材を固設したこと、にある。
【００１８】
請求項１記載の発明にあっては、人工芝生の周辺部の床面に、人工芝生に充填した充填物の平均高さよりも低い高さを有する端部処理材を固設したため、砂、砂及びゴムチップ、ゴムチップ等の充填物が端部処理材で堰き止められ、人工芝生の周辺末端部から流出しないため、充填物の最適な充填状態が持続し、人工芝生の衝撃吸収性、しなやかさ、ボールのバウンド性等の良好な運動性能を維持する。
【００１９】
人工芝生の周辺部に設けた端部処理材は、角管部材の表面に硬質弾性材製の被覆部材を被覆したため、運動選手が端部処理材にぶつかったり、躓いたりした際の衝撃を少なくし、安全性を保持している。また、端部処理材の高さは、人工芝生に充填した充填物の平均高さよりも低くしてあるため、運動選手等が端部処理材に躓きにくい。
【００２０】
また、端部処理材は、人工芝生に充填した充填物の平均高さよりも低いため、整備用や搬送用の車輌等が敷設した人工芝生上に乗り入れ易い。
【００２１】
請求項２記載の発明の手段は、請求項１記載の発明の構成に加え、互いに接合する一方の端部処理材の少なくとも一端部に、被覆部材よりも角管部材を突出させた突出角管部を設けたこと、他方の端部処理材の少なくとも一端部に、接合した一方の端部処理材の突出角管部を被覆する、角管部材よりも被覆部材を突出させた突出被覆部を設けたこと、にある。
【００２２】
請求項２記載の発明にあっては、互いに組合わされる、突出角管部と突出被覆部を設け、この組合せ解除することにより、端部処理材の一部を簡単に取り外すことができる。このため、多目的利用を前提とする施設において、給排水用マンホール、電源引き込みハッチ、可動装置用レール等の設備を利用するため、人工芝生の撤去若しくは修復作業に伴って、簡便に、端部処理材も、部分的に撤去若しくは修復することができる。
【００２３】
請求項３記載の発明の手段は、請求項１または２記載の発明の構成に加え、端部処理材に、固設用の固設プレートを突設したこと、にある。
【００２４】
請求項３記載の発明にあっては、固設プレートに固定用のアンカーボルト等を打ち込み、該固定プレート上に人工芝生を敷設することにより、固定部分を外部に露出させることなく、また、人や車輌の通行の邪魔となることなく、外観上良好に、端部処理材を人工芝生の周辺部の床面に固設できる。
【００２５】
請求項４記載の発明の手段は、請求項１または２記載の発明の構成に加え、角管部材の内部に、端部処理材を床面に固設する固定ボルトを設けたこと、にある。
【００２６】
請求項４記載の発明にあっては、固定ボルトを角管部材内部に設けたため、固定用のアンカーボルト等を外部に露出させることなく、施工場所が狭い場合であっても、人や車輌等の通行の邪魔になることなく、外観上良好に、端部処理材を床面に固設できる。
【００２７】
請求項５記載の発明の手段は、請求項１、２、３または４記載の発明の構成に加え、角管部材の内部の全体若しくは部分に、端部処理材の機械的強度を向上する強度向上材を充填したこと、にある。
【００２８】
請求項５記載の発明にあっては、角管部材の内部に強度向上材を充填して、端部処理材の機械的強度を全体的若しくは部分的に向上し、荷物等の搬送のために、端部処理材を乗り越えて、人工芝生に乗り入れる重量物、大型車輌等に対する、端部処理材の耐荷重性を確保する。
【発明の効果】
【００２９】
本発明は、上記した構成となっているので、以下に示す効果を奏する。
請求項１記載の発明にあっては、角管部材と、硬質弾性材製の被覆部材とから成る、人工芝生に充填した充填物の平均高さよりも低い高さを有する端部処理部材を、人工芝生の周辺部の床面に固設したため、該端部処理材で人工芝生に充填した充填物の流出を堰き止めて、最適な充填状態を維持し、充填物を有する人工芝生の良好な運動性能を維持し、充填物を有する人工芝生の耐久性を高めることができる。
【００３０】
端部処理材は、硬質の角管部材を、硬質弾性材製の被覆部材で被覆したため、運動選手が躓いたり、ぶつかったりした際の衝撃を少なくして、安全性を確保している。端部処理材の高さを、人工芝生に充填した充填物の平均高さよりも低く設定したため、運動選手等が端部処理材に躓きにくく、安全性が確保される。
【００３１】
また、端部処理材の高さを、人工芝生に充填した充填物の平均高さよりも低く設定したため、整備用や搬送用の車輌等が端部処理材を乗り越え易く、低い位置に設置された既存設備の利用を妨げることなく、充填物を有する人工芝生の周辺部の床面に、端部処理材を固設することができる。
【００３２】
請求項２記載の発明にあっては、互いに組合わされる突出角管部と、突出被覆部を設け、該突出角管部及び突出被覆部の組合せにより、端部処理材の一部を部分的に、簡単に取り外すことができる。このため、多目的利用を前提とする施設において、催事に合せて既存設備を利用するため、部分的な人工芝生の撤去若しくは修復に伴い、端部処理材の部分的な撤去若しくは修復作業を、簡便かつ迅速に施工できる。
【００３３】
請求項３記載の発明にあっては、固設プレートをアンカーボルト等で固定したため、該固定プレート上に人工芝生を敷設することにより、固定部分を外部に露出させることなく、端部処理材を床面に固設することができ、端部処理材が運動競技や車輌通行等の邪魔にならない。
【００３４】
請求項４記載の発明にあっては、アンカーボルトを角管部材内部に設けたため、固定部分を外部に露出させることなく、また、人や車輌等の通行の邪魔になることなく、施工場所が狭い場合であっても、外観上良好に、端部処理材を床面に固設できる。
【００３５】
請求項５記載の発明にあっては、端部処理材の角管部材の内部に、全体的若しくは部分的に強度向上材を充填し、端部処理材の機械的強度を向上し、端部処理材を乗り越えて通行する重量物、大型車輌等に対する、耐荷重性を確保する。
【発明を実施するための最良の形態】
【００３６】
以下、本発明の実施例を、図面を参照しながら説明する。  
図１は、本発明の実施例を示す、人工芝生１の構造を説明する縦断面図である。
【００３７】
図１に示すように、人工芝生１は、基布２にパイル糸３を植毛した植毛部４を有し、該植毛部４のパイル糸３の間に、砂、砂及びゴムチップ、ゴムチップ等の充填物５を充填している。
【００３８】
そして人工芝生１の周辺部の床面には、パイル糸３の間に充填した充填物５の平均高さよりも低い端部処理材７を固設している。
【００３９】
端部処理材７は、図２に示すように、底面を床面に設置する、鋼管製の角管部材８と、該角管部材８の表面を被覆する硬質ゴム製の被覆部材９から成っている。端部処理材７には、角管部材８の底面と水平に固設プレート１０が突設されており、この固設プレート１０にアンカーボルト１１を打ち込み、端部処理材７を床面に安定に固設している。
【００４０】
そして、端部処理材７の内部の固設プレート１０上に人工芝生１を敷設し、人工芝生１の植毛部４のパイル糸３の間に充填物５を充填する。人工芝生１の周辺端部には、充填物５の平均高さよりも低い、端部処理材７の高さと同程度の高さまで充填物５を充填する。
【００４１】
人工芝生１に充填された充填物５は、端部処理材７によって堰き止められて周囲に流出せず、人工芝生１に良好な充填密度を維持し、充填物５を有する人工芝生１の運動性能、安全性能を維持する。
【００４２】
人工芝生１に中央部分では、人工芝生１の周辺末端部よりも充填物５の平均高さが高くなるように充填物５を充填しているが、パイル糸３によって充填物５の移動が阻止されるため、人工芝生１内部で充填物５が大きく移動して充填物５が端部処理材７を越えて流出することはなく、充填物５の流出は、端部処理材７で有効に防止される。
【００４３】
端部処理材７は、鋼管製の角管部材８を、硬質ゴム製の被覆部材９で被覆しているため、運動選手等が端部処理材７にぶつかったり、躓いたりした場合であっても、衝撃が少なく、安全である。また、端部処理材７の高さは、人工芝生１に充填した充填物５の平均高さよりも低く設定してあるため、運動選手が端部処理材７に躓きにくい。
【００４４】
端部処理材７の高さを、人工芝生１に充填した充填物５の平均充填高さよりも低く設定すると、端部処理材７は、人や車輌等の通行の妨げとならず、整備用や搬送用の車輌が、敷設した人工芝生上に乗り入れ易い。
【００４５】
端部処理材７の高さを、人工芝生１に充填した充填物５の充填高さよりも低く設定しているため、図１に示すように、空調用の吸い込み口Ｅのような低い位置の既存設備がある場合であっても、既存設備の利用の妨げとならないように、端部処理材７を床面に固設できる。
【００４６】
また、多目的利用を前提とする施設においては、可動席のレールや可動装置用のレール等の既存設備を利用するため、充填物を有する人工芝生１の部分的な撤去若しくは修復にともない、端部処理材７を部分的に撤去若しくは修復する必要がある。
【００４７】
図３は、一部の撤去を可能とする端部処理材７の構造を説明する、側面図である。部分的に撤去する一部の端部処理材７´の端部には、角管部材８よりも被覆部材９を突出させた突出被覆部９ａを設け、端部処理材７´に隣接する端部処理材７の端部には、被覆部材９よりも角管部材８を突出させた突出角管部８ａを設けている。
【００４８】
図３（ａ）に示すように、突出角管部８ａと突出被覆部９ａの組合せを解除することにより、一部の端部処理材７´を、簡便に部分的に取り外すことができ、多目的利用を前提とする施設の既存設備を、効率良く利用することができる。また、図３（ｂ）に示すように、突出角管部７ａに、突出被覆部８ａを被せて、互いに組み合せることにより、取り外した一部の端部処理材７´を簡単に修復することができる。なお、被覆部材９は、角管部材８の表面にリベット等で固定している。
【００４９】
図４は、本発明の他の実施例を示し、角管部材８の内部に、固定用のアンカーボルト１１を設け、端部処理材７を地面に固設している。端部処理材７は、施工場所の状況や設置スペースに合せて、固設プレート１０を用いて床面に固設しても良く、角管部材８の内部をアンカーボルト１１で直接、床面に固設しても良い。
【００５０】
角管部材８の内部には、部分的若しくは全体的に、モルタル等の強度向上材を充填し、モルタルの高強度、無収縮性、流動性等の特質を利用して、端部処理材７の機械的強度を向上する。端部処理材７には、設備利用の目的に応じて、重量物、大型車輌等が乗り上げるため、大型車輌等が通行する部分の端部処理材７の機械的強度を向上し、重量物、大型車輌等に対する、端部処理材７の耐荷重性を確保している。
【００５１】
なお、角管部材８内部に強度向上材を充填するのみならず、角管部材８自体を、無垢の鋼材等を用いて形成し、角管部材８自体の機械的強度を向上することで、通過する大型車輌等に対して、端部処理材７の耐荷重性を確保してもよい。
なお、本発明にあっては、撤去若しくは修復する人工芝生の周辺部に散水しておくことにより、人工芝生のパイル糸の間に充填した砂、砂及びゴムチップ、ゴムチップ等の充填物の結合性が水分によって高まり、人工芝生の端部の充填物の崩れを極力防止することができる。
【図面の簡単な説明】
【００５２】
【図１】本発明の実施例を示し、人工芝生の周辺部の構造を説明する縦断面図。
【図２】（ａ）端部処理材の平面図、（ｂ）端部処理材の縦断面図。
【図３】（ａ）端部処理材の一部を撤去した状態の側面図、（ｂ）端部処理材の一部を修復した状態の側面図。
【図４】本発明の他の実施例を示し、人工芝生の周辺部の構造を説明する縦断面図。
【図５】従来例を示し、人工芝生の周辺部の構造を示す縦断面図。
【図６】多目的利用を前提とする、施設の平面図。
【符号の説明】
【００５３】
１    ；  人工芝生
２    ：  基布
３    ；  パイル糸
４    ；  植毛部
５    ；  充填物
１３ａ；  ジッパー部
１４  ；  スペーサー
１５  ；  引き出し紐
１６  ；  固定用ペグ
６    ；  突起部
７    ；  端部処理材
７´  ；  一部撤去する端部処理材
８    ；  角管部材
８ａ  ；  突出角管部
９    ；  被覆部材
９ａ  ；  突出被覆部
１０  ；  固設プレート
１１  ；  アンカーボルト
Ａ    ；  給排水用マンホール
Ｂ    ；  地下収納庫用ハッチ
Ｃ    ；  可動装置用レール収納ハッチ
Ｃ´  ；  可動装置用レール
Ｄ    ；  可動席用レールハッチ
Ｅ    ；  空調用吸い込み口
【図１】
2007309093.tif 000003
【図２】
2007309093.tif 000004
【図３】
2007309093.tif 000005
【図４】
2007309093.tif 000006
【図５】
2007309093.tif 000007
【図６】
2007309093.tif 000008